(57)【要約】      （修正有）【課題】黒曜石から、安価で強力マイナスイオンを発生し、コンパクトに無数に穴を開けたセラミックス板やイオンボールにより多く製品に取り付け使用ができる。マイナスイオンが多い事により身体健康効果・自然治癒力の増進・細胞や血液の浄化作用・抵抗力の増進作用・自立神経の調整作用・交換神経活性作用・皮膚病・肌の美白効果・細胞の活性化増進・等に役立つ電磁波防止装置を提供する。【解決手段】長野県和田峠産黒曜石とトルマリン鉱石及び、リンサンエン鉱石イオンボールにより発生するマイナスイオン測定、１ボール（Φ１０ｍｍ）当たり２７００個１ＣＣマイナスイオンが発生する。電磁波防止器に上記の強力マイナスイオンボールを使用した器具から、２０秒間で（１ｃｍリッポー）から８０００個以上のマイナスイオンが測定できた。癒しとして下から、ブルーのライトを持ち得る事により人体に良い効果が表れる。【選択図】図２
2008200454.tif 000002
【特許請求の範囲】
【請求項１】
黒曜石とリンサンエン鉱物微粉砕混合特殊加工を行った、強力マイナスイオン発生イオンセラミックスポールの開発により、人体に良いコンパクトで類の無い強力マイナスイオン及び、遠赤外線を発生させた、電磁波防止の開発をパソコン又は、其の他電磁波が発生する場所に設置する、電磁波のプラスイオンを中和して人体に良い環境ができうる開発である。
【請求項２】
黒曜石とリンサンエン鉱物を微粉粉砕に加工して、無数の穴を開けた板状又はボールに加工した物を８００度〜９００度に焼きセラミックス加工する事により画期的な強力マイナスイオン発生製品を組み合わせした開発である。
【請求項３】
今回開発した黒曜石イオンボールから出るマイナスイオンは１ボール（Φ１０ｍｍ）当り２７００個１ＣＣ（株式会社佐藤商事形式ＣＯＭ−３０１０ＰＲＯ使用）の測定が出ています。
図（１縦断面図及び２立体図）上記の所を（株）佐藤商事会社の測定器で８０００個ＩＣＣ以上のマイナスイオンが発生する又、半永久使用ができる画期的な電磁波防止の開発である。
【請求項４】
荻原大出願人０００１１２３３０９出願日・平成１６年３月８日、出願番号・特願２００４−１１０５３２黒曜石とトルマリン鉱石を持ちえたマイナスイオン発生サウナ（岩盤浴）装置の開発から現在至る、イオン生成材（リンサンエン鉱物）の開発ができ、特願件数十数件以上有ります。多くの方々の強力で開発ができ又、今後も数多くの黒曜石とトルマリン鉱石及びリンサンエン鉱物を使用し、強力マイナスイオン発生装置を持ち得た開発をしたいと思います。
【発明の詳細な説明】
【技術分野】
【０００１】  最近電磁波が多く発生する文明時代と共に電気商品が多い製品を利用し生活をし、又、仕事をしなければならない時代環境です。
本発明は、人体に悪影響を与える電磁波（プラスイオン）を防ぐ開発を多くの実験等を行い、コンパクトで強力なマイナスイオン発生できる製品を開発ができた。
電磁波発生が多いパソコン、其の他の表品の近くに簡単にセットする事で、プラスイオンと今回開発製品から発生する、マイナスイオン等が中和できる物の開発である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているがイオン測定の結果身体に良いマイナスイオン発生率が小量である。
【発明の開示】
【発明が解決しようとする課題】
【０００３】  本発明はこのような従来の問題点に着目してなされたものであり、黒曜石とリンサンエン鉱物を微粉粉砕をしてセラミックスボール又は、無数の穴を開けたセラミックス板を作成した製品から、（（株）佐藤商事形式マイナスイオン測定機の結果２０秒間に（１ｃｍリッポー）８０００個以上の画期的な強力マイナスイオンが出るセラミックス鉱石作成に成功したのです。
【課題を解決するための手段】
【０００４】  本発明により、電気商品又、パソコン・コンピューター等から多量に発生する、プラスイオンは人体に与える有害等を自動的に  強力マイナスイオン・遠赤外線・抗菌作用を発生させて身体に良い影響が出来る装置を長年の研究と実験で実証が出来た。【０００５】  （図２立体図）の製品を（株）佐藤商事の測定器では、２０秒間（１ｃｍリッポー）から８０００個１ＣＣ以上のマイナスイオンが発生します。その電磁波防止装置をパソコンと人体との中間に置く事により、パソコンから発せする、電磁波等が防止できる開発である。
長野県和田峠産黒曜石とリンサンエン鉱物を微粉砕し、図（２）特殊黒曜石セラミックスボール又は、無数の穴を開けたセラミックス板状から発生するマイナスイオンは、２０秒間で（１ｃｍリッポー）から８０００個以上発生する事が（株）佐藤商事形式ＣＯＭ−３０１０ＰＲＯの測定の結果である。
【発明の効果】
【０００６】  今回の開発マイナスイオンボールにトルマリン鉱石と黒曜石及び、リンサンエン鉱石等を粉砕し混合して使用しています。トルマリン鉱石は人体に効能効果がある石として世間で数多くの色々な方法で使用されている鉱石である。特にトルマリン鉱石を多く使用されている鉱石を健康生活用品に使用する事により身体全体の活性化ができる。【０００７】黒曜石は昔から健康石として黒曜石を色々な方法で加工されて使用している。
特許出願者荻原大が開発した数多くのサウナ関係及び岩盤浴関係に関して黒曜石を使用した事は、類の無い開発である。
【発明を実施するための最良の形態】
【０００８】  使用する黒曜石は産地として有名な長野県和田峠産であり、その成分含有率の一例を表１に示す。
【表１】
2008200454.tif 000003
【表２】
2008200454.tif 000004
【０００９】  マイナスイオンの効能効果は現代の人体に大変必要なイオンである。液体では水、人、動物、物など地球上の全ての物質は１０３個の原子の組み合わせによって成り立っている。人の場合、体を分離していくと胃や腸などの内臓や骨、皮膚などになり、それらをもつと小さくしていきますと細胞になる。
その細胞は原子から成り立っている、人は６５個の原子から成り立っていると言われています。原子の真ん中に原子核があり、その外側に電子がある、原子核はプラスの電気、外側の電子はマイナス電気です。対に安定している状態が良いですが、何かしらのエネルギー（赤外線、電磁波、排気ガス、食物、ストレスなど）が加わると、マイナス電子が飛び出してしまいます。
この状態を不対電子（フリーラジカル）といい、酸化を引き起こしていく原因であると共に、人体に酸化が進むと病気になる。その人体にマイナス電子をプレゼントさせる、マイナスイオンは電子を持って行く粒子である。【００１０】  今回の電磁波防止装置は多量のマイナスイオンが半永久発生し、身体を自然治癒力の増進を高め又、活性化されます。
【符号の説明】
【００１２】１    アミカバー
２    強力マイナスイオン発生イオンボール。
３    蛍光灯又はＬＥＤライトアミカバー。
４    アミカバー。
５    蛍光灯  又はＬＥＤライト。
６    ライト取り付け台。
７    装置固定台。
８    ソケット
【図面の簡単な説明】
【００１３】
【図１】縦断面図
【図２】立体図
【図３】横断面図
【図４】縦型断面図
【図５】横型断面図
【図１】
2008200454.tif 000005
【図２】
2008200454.tif 000006
【図３】
2008200454.tif 000007
【図４】
2008200454.tif 000008
【図５】
2008200454.tif 000009